(57)【要約】【課題】体液の漏れを抑制しつつ、吸収コアの全体に体液を導き易い吸収性物品を提供する。【解決手段】吸収性物品（１０）は、着用者の排泄口に対向する排泄口当接部を含む中央域（Ｒ３）と、表面シート（１１）と、吸収コア（２０）と、表面シートと吸収コアに跨がって厚さ方向に延びる開口部（４５）と、を有する。吸収コアは、吸収コアの非肌対向面において厚さ方向に凹む凹部（３０）が設けられている。開口部は、少なくとも中央域に配置されている。凹部の少なくとも一部は、平面視において開口部よりも外側に位置し、かつ吸収コアの外縁（２０Ｅ）に向かって延びている。【選択図】図１
2019118487.tif 000002
【特許請求の範囲】
【請求項１】
前後方向と、
前記前後方向に直交する幅方向と、
着用者の排泄口に対向する排泄口当接部を含む中央域と、
表面シートと、
前記表面シートの非肌対向面側に配置された吸収コアと、
前記表面シートと前記吸収コアに跨がって厚さ方向に延びる開口部と、を有する吸収性物品であって、
前記吸収コアは、前記吸収コアの非肌対向面において厚さ方向に凹む凹部が設けられており、
前記開口部は、少なくとも前記中央域に配置されており、
前記凹部の少なくとも一部は、平面視において前記開口部よりも外側に位置し、かつ前記吸収コアの外縁に向かって延びている、吸収性物品。
【請求項２】
前記開口部は、前記吸収コアの非肌対向面に到達している、請求項１に記載の吸収性物品。
【請求項３】
前記開口部を囲む周囲部の少なくとも一部には、前記表面シート及び前記吸収コアを構成する繊維が圧着した圧着部が設けられていない、請求項１又は請求項２に記載の吸収性物品。
【請求項４】
前記凹部は、前記幅方向に延びる幅凹部を有し、
前記幅凹部は、前記前後方向において間隔を空けて複数設けられている、請求項１から請求項３のいずれか１項に記載の吸収性物品。
【請求項５】
前記中央域は、前記中央域の前記幅方向の中央に位置する第１中央域と、前記第１中央域に対する前記幅方向の両側に位置する一対の第２中央域と、を有し、
前記第１中央域には、前記開口部が設けられており、
前記一対の第２中央域のそれぞれには、前記幅凹部が設けられており、
前記幅凹部は、前記吸収コアの前記幅方向の中心を通り、かつ前記前後方向に延びる幅中心線に対して対称に配置されている、請求項４に記載の吸収性物品。
【請求項６】
前記凹部は、前記前後方向に延びる前後凹部を有する、請求項１から請求項５のいずれか１項に記載の吸収性物品。
【請求項７】
前記中央域よりも前側に位置する前側域及び前記中央域よりも後側に位置する後側域を有し、
前記前後凹部は、前記前側域と前記後側域の少なくとも一方に設けられている、請求項６に記載の吸収性物品。
【請求項８】
前記凹部は、複数設けられており、
前記表面シート及び前記吸収コアを厚さ方向に圧縮した圧搾部が設けられており、
前記圧搾部は、前記平面視にて前記複数の凹部を跨がって配置されている、請求項１から請求項７のいずれか１項に記載の吸収性物品。
【請求項９】
前記表面シートには、非肌対向面側に凹む表面凹部と、前記表面凹部間に配置された表面凸部と、が設けられており、
前記表面凹部及び前記表面凸部は、前記前後方向に延び、かつ前記幅方向に交互に配置されている、請求項１から請求項８のいずれか１項に記載の吸収性物品。
【発明の詳細な説明】
【技術分野】
【０００１】
本発明は、生理用ナプキン等の吸収性物品に関する。
【背景技術】
【０００２】
特許文献１は、複数の凹部が設けられた吸収コアを有する吸収性物品が開示されている。特許文献１の吸収コアの凹部は、前後方向に延びる凹部と、幅方向に延びる凹部と、がそれぞれ複数設けられている。凹部間には、小吸収部が設けられている。凹部及び小吸収部は、吸収コアの肌対向面側に設けられている。
【先行技術文献】
【特許文献】
【０００３】
【特許文献１】特開２０１５−９７７１５号公報
【発明の概要】
【発明が解決しようとする課題】
【０００４】
特許文献１の吸収性物品では、着用者から排出された体液は、排泄口に対向する領域に設けられた凹部及び小吸収部に導かれる。体液は、小吸収部によって吸収されつつ、凹部によって幅方向の外側及び前後方向の外側に導かれる。凹部は、吸収コアの肌対向面側において吸収コアの幅方向の外側縁及び前後方向の外端縁に到達している。そのため、着用者から排出された体液が、吸収コアの非肌対向面側に導かれる前に吸収コアの肌対向面側で吸収コアの全体に拡散し、体液の漏れが発生するおそれがあった。
【０００５】
したがって、体液の漏れを抑制しつつ、吸収コアの全体に体液を導き易い吸収性物品が望まれる。
【課題を解決するための手段】
【０００６】
一態様に係る吸収性物品は、着用者の排泄口に対向する排泄口当接部を含む中央域と、表面シートと、前記表面シートの非肌対向面側に配置された吸収コアと、前記表面シートと前記吸収コアに跨がって厚さ方向に延びる開口部と、を有する吸収性物品であって、前記吸収コアは、前記吸収コアの非肌対向面において厚さ方向に凹む凹部が設けられており、前記開口部は、少なくとも前記中央域に配置されており、前記凹部の少なくとも一部は、平面視において前記開口部よりも外側に位置し、かつ前記吸収コアの外縁に向かって延びている。
【図面の簡単な説明】
【０００７】
【図１】図１は、肌対向面側から見た実施形態に係る吸収性物品の平面図である。
【図２】図２は、図１に示すＡ−Ａ線に沿った断面図である。
【図３】図３は、図１に示すＢ−Ｂ線に沿った断面図である。
【図４】図４は、吸収コアの体液の拡散態様を模式的に示した図である。
【図５】図５は、表面シートの模式拡大図である。
【発明を実施するための形態】
【０００８】
（１）実施形態の概要
本明細書及び添付図面の記載により、少なくとも以下の事項が明らかとなる。
【０００９】
一態様に係る吸収性物品は、前後方向と、前記前後方向に直交する幅方向と、着用者の排泄口に対向する排泄口当接部を含む中央域と、表面シートと、前記表面シートの非肌対向面側に配置された吸収コアと、前記表面シートと前記吸収コアに跨がって厚さ方向に延びる開口部と、を有する吸収性物品であって、前記吸収コアは、前記吸収コアの非肌対向面において厚さ方向に凹む凹部が設けられており、前記開口部は、少なくとも前記中央域に配置されており、前記凹部の少なくとも一部は、平面視において前記開口部よりも外側に位置し、かつ前記吸収コアの外縁に向かって延びている。
【００１０】
好ましい一態様によれば、前記開口部は、前記吸収コアの非肌対向面に到達している。
【００１１】
開口部によって吸収コアの非肌対向面に体液をより導き易くなり、吸収コアの肌対向面側での体液の拡散をより抑制できる。
【００１２】
好ましい一態様によれば、前記開口部を囲む周囲部の少なくとも一部には、前記表面シート及び前記吸収コアを構成する繊維が圧着した圧着部が設けられていない。
【００１３】
開口部の周囲部の全体に圧着部が形成されると、開口部に導かれた体液が圧着部に引き込まれ、開口部の全周囲において平面方向に拡散し易くなる。周囲部全体に圧着部が形成されていないため、開口部に導かれた体液を平面方向よりも厚さ方向に拡散し易くなる。よって、吸収コアの非肌対向面側で吸収コアの非肌対向面側に体液を導くことができる。
【００１４】
好ましい一態様によれば、前記凹部は、前記幅方向に延びる幅凹部を有し、前記幅凹部は、前記前後方向において間隔を空けて複数設けられている。
【００１５】
幅凹部が前後方向に間隔を空けて複数配置されているため、吸収コアは、前後方向に間隔を空けて複数の折り基点によって、身体の丸みに沿って配置され易くなる。身体に沿って吸収コアを配置することにより、吸収コアの中央域によって体液を吸収し、開口部及び凹部によって体液を拡散する効果をより得易い。
【００１６】
好ましい一態様によれば、前記中央域は、前記中央域の前記幅方向の中央に位置する第１中央域と、前記第１中央域に対する前記幅方向の両側に位置する一対の第２中央域と、を有し、前記第１中央域には、前記開口部が設けられており、前記一対の第２中央域のそれぞれには、前記幅凹部が設けられており、前記幅凹部は、前記吸収コアの前記幅方向の中心を通り、かつ前記前後方向に延びる幅中心線に対して対称に配置されている。
【００１７】
第１中央域に排出された体液を非肌対向面側に導き、吸収コアの非肌対向面側において第１中央域から第２中央域側に導くことができる。また、幅凹部が対称であるため、幅凹部同士をつなぐ折り基点が形成され、吸収コアの幅方向全体がより身体に沿い易くなる。一方の第２中央域の幅凹部と、他方の第２中央域の幅凹部と、が同じ方向に変形し、かつその前後方向の位置が一致しているため、互いに協働して凹部による吸収コアの変形した形状を維持し易くなる。
【００１８】
好ましい一態様によれば、前記凹部は、前記前後方向に延びる前後凹部を有する。
【００１９】
前後凹部によって体液を前後方向に導くことができ、前後方向に体液を拡散できる。一般的に吸収コアは、幅方向の長さよりも前後方向の長さの方が長い。前後凹部を設けることにより、吸収コアの前後方向の全域に体液を導き易くなる。
【００２０】
好ましい一態様によれば、前記前後凹部は、前記前側域と前記後側域の少なくとも一方に設けられている。
【００２１】
中央域の開口部によって非肌対向面側に導いた体液を前後凹部によって前側域又は後側域に導くことができる。吸収コアの前後方向の全域に体液を導き易くなる。
【００２２】
好ましい一態様によれば、前記凹部は、複数設けられており、前記表面シート及び前記吸収コアを厚さ方向に圧縮した圧搾部が設けられており、前記圧搾部は、前記平面視にて前記複数の凹部を跨がって配置されている。
【００２３】
当該圧搾部によって体液を引き込み、圧搾部を介して複数の凹部に体液を導くことができる。凹部によって、吸収コアの非肌対向面側で体液を平面方向に拡散でき、吸収コアの全体に体液を導くことができる。
【００２４】
好ましい一態様によれば、前記表面シートには、非肌対向面側に凹む表面凹部と、前記表面凹部間に配置された表面凸部と、が設けられており、前記表面凹部及び表面凸部は、前記前後方向に延び、かつ前記幅方向に交互に配置されている。
【００２５】
表面凹部によって体液を前後方向に拡散できる。一般的に吸収コアは、幅方向の長さよりも前後方向の長さの方が長い。表面凹部を設ける事により、比較的長い吸収コアの前後方向の全域に体液を導き易くなる。
【００２６】
（２）吸収性物品の構成
以下、図面を参照して、実施形態に係る吸収性物品ついて説明する。吸収性物品は、生理用ナプキン、パンティライナー、母乳パッド、大人用失禁パッド、糞便パッド又は汗取りシートのような吸収性物品であってよい。特に、吸収性物品は、使用者の下着のような着用物品の内側に取り付けられて使用される物品であってよい。
【００２７】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００２８】
図１は、肌対向面側から見た第１実施形態に係る吸収性物品１０の平面図である。ここで、「肌対向面側」は、使用中に着用者の肌に面する側に相当する。「非肌対向面側」は、使用中に着用者の肌とは反対に向けられる側に相当する。図２は、図１に示すＡ−Ａ線に沿った断面図であり、図３は、図１に示すＢ−Ｂ断面に沿った断面図である。
【００２９】
吸収性物品１０は、前後方向Ｌ及び幅方向Ｗを有する。前後方向Ｌは、着用者の前側（腹側）から後側（背側）に延びる方向、又は着用者の後側から前側に延びる方向である。幅方向Ｗは、前後方向Ｌと直交する方向である。
【００３０】
吸収性物品１０は、前側域Ｒ１と、後側域Ｒ２と、中央域Ｒ３と、を含む。中央域Ｒ３は、着用者の排泄口（例えば膣口）に対向する排泄口当接部Ｒ３３を含む。吸収性物品１０が下着に装着されたときに、中央域Ｒ３は、下着の股下部に位置する。つまり、排泄口当接部Ｒ３３は、着用者の股下、すなわち着用者の両足の間に配置される領域である。中央域Ｒ３は、中央域Ｒ３の幅方向Ｗの中央に位置する第１中央域Ｒ３１と、第１中央域Ｒ３１に対する幅方向Ｗの両側に位置する一対の第２中央域Ｒ３２と、を有してよい。
【００３１】
前側域Ｒ１は、中央域Ｒ３よりも前側に位置する。前側域Ｒ１の前端縁は、吸収性物品１０の前端縁を規定する。後側域Ｒ２は、中央域Ｒ３よりも後側に位置する。後側域Ｒ２の後端縁は、吸収性物品１０の後端縁を規定する。後側域Ｒ２の前後方向Ｌの長さは、中央域Ｒ３の前後方向Ｌの長さよりも長くなっていてよい。
【００３２】
中央域Ｒ３には、後述するウイング３が設けられていてよい。また、後側域Ｒ２には、幅方向Ｗの外側に膨らんだヒップフラップ４が設けられていてよい。ウイング３の前端縁は、ウイング３の付け根によって規定されており、最も幅方向Ｗの内側に窪んだ２つの部分のうち、前側に位置する部分に相当する。ウイング３の前端縁は、中央域Ｒ３と前側域Ｒ１との境界を規定していてもよい。ウイング３の後端縁は、ウイング３の付け根によって規定されており、最も幅方向Ｗの内側に窪んだ２つの部分のうち、後側に位置する部分に相当する。ウイング３の後端縁は、中央域Ｒ３と後側域Ｒ２との境界を規定していてもよい。
【００３３】
吸収性物品１０は、着用者の肌に向けられる表面シート１１と、着用者の肌とは反対側に向けられる裏面シート１２と、表面シート１１と裏面シート１２の間に配置された吸収コア２０と、を含む。表面シート１１は、吸収コア２０よりも肌対向面側Ｔ１に設けられる。裏面シート１２は、吸収コア２０よりも非肌対向面側Ｔ２に設けられる。吸収コア２０は、表面シート１１と裏面シート１２との間に設けられる。少なくとも表面シート１１及び吸収コア２０を厚さ方向に圧縮した圧搾部４１が設けられていてよい。
【００３４】
表面シート１１は、体液等の液体を透過する液透過性のシートである。表面シート１１は、幅方向Ｗにおける吸収コア２０の中央部を覆ってよい。表面シート１１は、前側域Ｒ１から後側域Ｒ２まで前後方向Ｌに延びていてよい。表面シート１１は、不織布、織布、有孔プラスチックシート、メッシュシート等、液体を透過する構造を有する任意のシート状の材料から構成される。織布や不織布の素材としては、天然繊維、化学繊維のいずれも使用できる。表面シート１１は、複数の層によって構成されていてもよいし、吸収コア２０を覆うシートと、吸収コア２０の外側縁を覆うサイドシートと、によって構成されてもよい。
【００３５】
裏面シート１２は、液不透過性のシートである。裏面シート１２は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００３６】
吸収コア２０は、少なくとも中央域Ｒ３及び後側域Ｒ２に配置される。また、吸収コア２０は、中央域Ｒ３から前側域Ｒ１まで延びていてもよい。吸収コア２０は、液体を吸収する吸収材料を含む。吸収コア２０は、コアラップによって包まれていてもよい。吸収コア２０を構成する吸収材料は、例えば、親水性繊維、パルプ及び高吸水性高分子（ＳＡＰ）から形成できる。コアラップは、例えば不織布やティッシュシートから構成することができる。
【００３７】
前述したように、吸収性物品１０は、ウイング３及びヒップフラップ４を有する。ウイング３及びヒップフラップ４は、中央域Ｒ３における吸収コア２０の外側縁よりも幅方向Ｗの外側に延出している。ウイング３及びヒップフラップ４は、表面シート１１と裏面シート１２との積層によって構成されていてよい。ウイング３は、裏面シート１２側に折り返し可能に構成されている。ウイング３は、使用時に下着のクロッチ部の非肌対向面側に折り返される。
【００３８】
ヒップフラップ４は、ウイング３よりも後側に位置し、後側域Ｒ２に設けられている。ヒップフラップ４は、使用時に折り返されず、下着と着用者の臀部との間に配置される。本実施形態では、ヒップフラップ４には吸収材料が設けられていない。この代わりに、ヒップフラップ４には、吸収材料が設けられていてもよい。
【００３９】
次いで、このように構成された吸収性物品１０の体液の拡散構造について説明する。吸収性物品１０は、体液の漏れを抑制しつつ、吸収コア２０の全体に体液を導き易いように構成されている。吸収性物品１０は、表面シート１１と吸収コア２０に跨がって厚さ方向に延びる開口部４５を有する。開口部４５によって表面シート１１の肌対向面に排出された体液を、非肌対向面側Ｔ２に引き込み、かつ吸収コア２０に導くことができる。開口部４５は、表面シート１１と吸収コア２０に跨っていればよく、厚さ方向Ｔにおいて表面シート１１の一部と吸収コア２０の一部に設けられていてよい。開口部４５は、表面シート１１の肌対向面から吸収コア２０の非肌対向面まで貫通してよい。
【００４０】
開口部４５は、少なくとも中央域Ｒ３に設けられていてよい。中央域Ｒ３は、排泄口当接部Ｒ３３を含み、着用者から排出された体液が導かれ易い。当該中央域Ｒ３に開口部４５が形成されていることにより、開口部４５によって厚さ方向Ｔ、すなわち、肌対向面側Ｔ１から非肌対向面側Ｔ２に体液を導くことができる。開口部４５は、第１中央域Ｒ３１に設けられてよい。第１中央域Ｒ３１は、排泄口当接部Ｒ３３を含み、着用者の排泄口から体液が導かれ易い領域である。また、開口部４５は、前側域Ｒ１及び後側域Ｒ２にも設けられていてもよい。
【００４１】
開口部４５は、平面視にて点状であってもよいし、直線状であってもよいし、曲線状であってもよいし、複数形成されてよい。開口部４５は、表面シートから吸収コアまでを熱を加えずに切断してくり抜くような加工によって形成されてもよいし、線状のエンボス加工によって形成されてもよいし、点状のエンボス加工によって形成されてもよい。好適には、表面シート１１及び吸収コア２０を構成する繊維が圧着した圧着部が形成されない加工が好ましい。すなわち、開口部４５を囲む周囲部Ｒ５（図３参照）の少なくとも一部に圧着部が設けられていないことが好ましい。開口部４５の周囲部Ｒ５の全体に圧着部が形成されると、開口部４５に導かれた体液が圧着部に引き込まれ、平面方向に拡散し易くなる。周囲部Ｒ５に圧着部が形成されていないため、開口部４５に導かれた体液を平面方向よりも厚さ方向に拡散し易くなる。よって、吸収コア２０の非肌対向面側で体液を導くことができる。なお、周囲部Ｒ５は、平面視にて開口部４５を囲む部分であり、開口部４５から表面シート又は吸収コアの厚さ分の距離までの部分である。また、周囲部の少なくとも一部は、開口部の平面視における全周囲の一部である。好適には、圧着部は、周囲部の５０％以上において圧着部が設けられていないことが好ましい。
【００４２】
吸収コア２０は、吸収コア２０の非肌対向面において厚さ方向に凹む凹部３０が設けられている。凹部３０は、吸収コア２０の非肌対向面側Ｔ２から肌対向面側Ｔ１に向かって凹んでいる。凹部３０の底部（最も凹んだ部分）は、吸収コア２０の肌対向面に到達していない。よって、図２及び図３に示すように、凹部３０の肌対向面側Ｔ１には、吸収材料が配置されている。凹部３０の深さは、吸収コアの厚みの１０〜８０％とすることができる。凹部３０は、周囲の領域よりも吸収材料の目付が低い低目付部によって構成されていてもよいし、厚さ方向に圧縮された部分によって構成されていてもよい。
【００４３】
凹部３０は、平面視において開口部４５よりも外側に位置し、かつ吸収コア２０の外縁２０Ｅに向かって延びている。開口部４５によって非肌対向面側に導いた体液を、吸収性物品の外縁に向かって拡散できる。凹部３０は、一つの開口部４５の外側に位置していればよく、全ての開口部４５の外側に位置してなくてよい。例えば、凹部３０よりも外側に開口部４５が配置されていてもよい。なお、外縁は、部材の周辺端であり、前後方向の前端縁及び後端縁と、幅方向の外側縁と、を含む。また、開口部４５の外側とは、開口部４５よりも外縁側を意味する。すなわち、開口部４５と吸収コア２０の外縁２０Ｅとの間に、凹部３０が設けられていればよい。凹部３０は、前側域Ｒ１、中央域Ｒ３及び後側域Ｒ２に設けられてよい。中央域Ｒ３においては、凹部３０は、第２中央域Ｒ３２に設けられてよい。
【００４４】
凹部は、幅方向Ｗに延びる幅凹部３１と、前後方向Ｌに延びる前後凹部３２と、を含んでよい。幅凹部３１は、幅方向Ｗに平行に延びる構成のみならず、幅方向Ｗに対して４５度以下の角度をなす線に沿って延びる構成を含むものである。また、前後凹部３２は、前後方向Ｌに平行に延びる構成のみならず、前後方向Ｌに対して４５度未満の角度をなす線に沿って延びる構成を含むものである。
【００４５】
幅凹部３１は、開口部４５の幅方向Ｗの外側に設けられてよい。開口部４５によって厚さ方向Ｔに導かれた体液を、幅凹部３１によって幅方向Ｗの外側に導くことができ、吸収コア２０の幅方向Ｗの全域に亘って体液を拡散し易くなる。幅凹部３１は、開口部４５の前後方向Ｌの範囲内、すなわち開口部の前後方向の全域から幅方向に延びる領域に設けられてよい。幅凹部３１は、第２中央域Ｒ３２に設けられてよい。第１中央域Ｒ３１に開口部４５が設けられ、かつ第２中央域Ｒ３２に幅凹部３１が設けられていることにより、第１中央域Ｒ３１において体液を非肌対向面側Ｔ２に導き、吸収コア２０の非肌対向面側Ｔ２において第１中央域Ｒ３１から第２中央域側に導くことができる。また、幅凹部３１は、開口部４５の前後方向Ｌの外側に設けられていてもよい。本実施の形態の幅凹部３１は、前側域Ｒ１、中央域Ｒ３及び後側域Ｒ２にそれぞれ配置されている。そのため、吸収コア２０の前後方向の全域に亘って体液を拡散する効果を発揮できる。
【００４６】
前後凹部３２は、開口部４５の前後方向Ｌの外側に設けられてよい。開口部４５によって体液を前後方向Ｌの外側に導くことができる。一般的に吸収コア２０は、幅方向Ｗの長さよりも前後方向Ｌの長さの方が長い。前後凹部３２を設けることにより、吸収コア２０の前後方向Ｌの全域に体液を導き易くなる。前後凹部３２は、開口部４５の幅方向Ｗの範囲内、すなわち開口部の幅方向の全域から前後方向に延びる領域に設けられてよい。また、前後凹部３２は、開口部４５の幅方向Ｗの外側に設けられていてもよい。前後凹部３２は、吸収性物品１０の幅方向Ｗの中央を跨いで配置されてよい。前後凹部３２は、前側域Ｒ１と後側域Ｒ２の少なくとも一方に設けられてよい。中央域Ｒ３の開口部４５によって非肌対向面側に導いた体液を前後凹部３２によって前側域Ｒ１又は後側域Ｒ２に導き、吸収コア２０の前後方向Ｌの全域に体液を導き易くなる。
【００４７】
幅凹部３１と前後凹部３２の両方が設けられることが好ましい。幅方向Ｗ及び前後方向Ｌの両方に体液を拡散でき、吸収コア２０の全体に体液をより導きやすくなる。また、幅凹部３１と前後凹部３２は、部分的に連なっていてよい。幅凹部３１と前後凹部３２が協働して、前後方向Ｌ及び幅方向Ｗに効率よく体液を拡散できる。
【００４８】
次いで、図４に基づいて、体液の拡散態様について説明する。図４は、吸収コア２０の体液の拡散態様を模式的に示した図である。着用者の排泄口から排出された体液は、排泄口当接部Ｒ３３を含む中央域Ｒ３に導かれる。この中央域Ｒ３に導かれた体液は、開口部４５によって非肌対向面側Ｔ２に導かれる（図４の矢印Ａ）。このとき、開口部４５は、表面シート１１と吸収コア２０に跨っているため、体液は、吸収コア２０の内部（肌対向面よりも内側）に導かれ易い。体液を非肌対向面側に導くことにより、吸収コア２０の肌対向面側での体液の拡散を抑制し、体液の漏れを抑制できる。
【００４９】
吸収コア２０に導かれた体液は、吸収コア２０内で拡散する。より詳細には、体液は、開口部４５の幅方向Ｗの外側に設けられた幅凹部３１によって幅方向Ｗの外側に向かって拡散する（矢印Ｂ）。また、体液は、開口部４５の前後方向Ｌの外側に設けられた前後凹部３２によって前後方向Ｌの外側に向かって拡散する（矢印Ｃ）。このとき、前後凹部３２に幅凹部３１が連なっているため、前後凹部３２によって後側に導かれる過程の体液が、幅凹部３１を介して吸収コア２０の外縁２０Ｅに向かって導かれる（矢印Ｄ）。凹部３０は、吸収コア２０の非肌対向面に形成されており、吸収コア２０の非肌対向面側で体液を平面方向に拡散でき、吸収コア２０の全体に体液を導くことができる。よって、体液の漏れを抑制しつつ、吸収コア２０の全体に体液を導き易くなる。
【００５０】
また、開口部４５によって導いた体液を凹部３０に移動し易くするために、開口部４５と凹部３０は、厚さ方向における同じレベルに設けられていることが好ましい。すなわち、開口部４５の非肌対向面は、凹部３０の底面（肌対向面）よりも非肌対向面側Ｔ２に位置してよい。このような構成によれば、開口部４５から凹部３０へ体液が移動し易くなる。好適には、開口部４５は、吸収コア２０の非肌対向面に到達してよい。開口部４５によって吸収コア２０の非肌対向面に体液を導き易くなり、吸収コア２０の肌対向面側での体液の拡散をより抑制できる。
【００５１】
幅凹部３１は、前後方向Ｌにおいて間隔を空けて複数設けられてよい。腹側から背側に向かう前後方向Ｌに沿った身体の形状は、丸みを帯びた曲線状である。吸収性物品は、着用者に装着された状態で、身体の丸みに沿って配置されることが好ましい。幅凹部３１は、幅方向に延びており、幅方向に延びる吸収コア２０の折り基点となり易い。吸収コア２０は、前後方向に間隔を空けて複数の折り基点によって、身体の丸みに沿って配置され易くなる。身体に沿って吸収コア２０を配置することにより、中央域Ｒ３において体液を吸収し、開口部４５及び凹部３０によって体液を拡散する効果をより得易い。また、凹部が吸収コア２０の非肌対向面に形成されているため、装着時に身体に沿って吸収コア２０が曲がるように変形すると、凹部３０の非肌対向面側の幅（前後方向の長さ）が変形前の長さよりも長くなる。吸収コア２０の非肌対向面側に位置する体液の拡散経路の断面積が大きくなり、吸収コア２０の非肌対向面側でより体液を拡散し易くなる。
【００５２】
幅凹部３１は、吸収コア２０の幅方向の中心を通り、かつ前後方向Ｌに延びる幅中心線ＣＬに対して対称に配置されてよい。幅凹部３１が対称であるため、幅凹部３１同士をつなぐ折り基点が形成され、吸収コア２０の幅方向全体がより身体に沿い易くなる。また、一方の第２中央域の幅凹部３１と、他方の第２中央域の幅凹部３１と、が同じ方向に変形（肌対向面側を内側にして丸くなる変形）し、かつその前後方向Ｌの位置が一致しているため、互いに協働して幅凹部３１による吸収コア２０の変形した形状を維持し易くなる。
【００５３】
凹部３０は、吸収コア２０の外縁２０Ｅに到達していないことが好ましい。凹部３０によって導かれた体液を吸収コア２０の外縁に設けられた吸収材料によって吸収でき、横漏れを防止できる。他の形態において、凹部３０は、吸収コア２０の外縁に到達してもよい。
【００５４】
平面視において、圧搾部４１が複数の凹部３０を跨って配置されてよい。圧搾部４１は、表面シート１１及び吸収コア２０が圧縮されており、その周囲と比較して密度が高く、体液を引きこみ易い。また、凹部３０は、吸収コア２０が配置されてなく、圧搾部４１と比較して密度が低い。よって、圧搾部４１によって引き込んだ体液は、圧搾部４１に沿って広がった後に、凹部３０に導かれ易い。圧搾部４１によって体液を引き込み、圧搾部４１を介して複数の凹部３０に体液を導くことができる。凹部３０によって、吸収コア２０の非肌対向面側で体液を平面方向に拡散でき、吸収コア２０の全体に体液を導くことができる。また、圧搾部４１と凹部３０は、部分的に連なっていてよい。これによれば、圧搾部４１から凹部３０へと体液がより拡散し易くなり、吸収コア２０の全体に体液を導く効果を高めることができる。
【００５５】
また、表面シート１１によって体液を前後方向に拡散してもよい。図５は、表面シートの模式拡大図である。表面シート１１には、非肌対向面側に凹む表面凹部１１Ａと、表面凹部１１Ａ間に配置された表面凸部１１Ｂと、が設けられてよい。表面凹部１１Ａ及び表面凸部１１Ｂは、前後方向Ｌに延び、かつ幅方向Ｗに交互に配置されてよい。表面凹部１１Ａに沿って体液を前後方向Ｌに拡散できる。一般的に吸収コア２０は、幅方向の長さよりも前後方向の長さの方が長い。表面凹部１１Ａを設ける事により、比較的長い吸収コア２０の前後方向の全域に体液を導き易くなる。
【００５６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００５７】
体液の漏れを抑制しつつ、吸収コアの全体に体液を導き易い吸収性物品を提供できる。
【符号の説明】
【００５８】
１０  吸収性物品
１１  表面シート
１１Ａ  表面凹部
１１Ｂ  表面凸部
１２  裏面シート
２０  吸収コア
３０  凹部
３１  幅凹部
３２  前後凹部
４１  圧搾部
４５  開口部
Ｒ１  前側域
Ｒ２  後側域
Ｒ３  中央域
Ｒ５  周囲部
Ｒ３１  第１中央域
Ｒ３２  第２中央域
【図１】
2019118487.tif 000003
【図２】
2019118487.tif 000004
【図３】
2019118487.tif 000005
【図４】
2019118487.tif 000006
【図５】
2019118487.tif 000007